(57)【特許請求の範囲】
【請求項１】
衣料品または生活実用品に付ける付け札であって、用いる布の弾性率およびまたは熱膨張率の違う経糸（たていと）と緯糸（よこいと）を用いる事により得られる一方向に丸まる性質の前記布を用い、通常時は前記布に記載された個人情報載部分が丸まって外部からは隠れて見えない事を特徴とする付け札で、前記布の一部または一辺部分を、対象物に貼り付けるまたは縫い付ける事により取り付ける付け札。
【請求項２】
請求項１において、付け札に使用する布の繊維の経糸と緯糸の間に経糸／緯糸＝0.98以下の弾性率の差を付け、圧縮加工、ロール加工もしくは引っ張り加工を施して得られた布、または経糸／緯糸＝0.99以下の熱膨張率の差を付け、熱加工を施して得られた前記布を用いた事を特徴とする付け札。  
【請求項３】
請求項１において、付け札の布の経糸と緯糸のどちらか一方の繊維の代わりに、予め丸まる性能を付与した樹脂加工線または金属線を用いる事により得られた一方向に丸まる性質の布に、個人情報等を記す際にはその丸まりを引き伸ばして解除して記載し、通常の使用時には個人情報記載部分が丸まって外部からは隠れて見えない事を特徴とする付け札。
【請求項４】
請求項１において、布の背面に布地よりも熱膨張率の大きな樹脂層のコーティングを施した２層構造の布状形態物を加熱処理して得られた一方向に丸まる性質の布に、個人情報等を記す際にはその丸まりを引き伸ばして解除して記載し、通常の使用時には個人情報記載部分が丸まって外部からは隠れて見えない事を特徴とする付け札。
【請求項５】
請求項１において、布の背面に丸まる性能を付与した網目またはハニカム状の樹脂部位を保持した一方向に丸まる性質の布状形態物に、個人情報等を記す際にはその丸まりを引き伸ばして解除して記載し、通常の使用時には個人情報記載部分が丸まって外部からは隠れて見えない事を特徴とする付け札。
【発明の詳細な説明】
【技術分野】
【０００１】
本考案は、衣料品または生活用品、運動用具、学習用具、玩具、楽器に付けられる名札または名入れワッペンであって、通称はタグ、ラベルなどと呼称される付け札の構成に関する。          
【背景技術】
【０００２】
近年、名札または学用品や道具に直接記載された個人情報を悪用した凶悪事件、例えば玄関先に放置した傘の名前を悪用した誘拐事件や通学時にランドセルに記された名前を悪用した乱暴事件などが多発しており、その防止の為に「必要な時には名前などの個人情報の確認が可能であり、不要な時にはそれが伏せられる」付け札が保護者や教育/保育関係者から望まれている。
【０００３】
通常、学用品や道具に直接記載された個人情報や、または個人情報を記された名札または名入れワッペン類は、書き放し、もしくは付け放しの状態で使用する事が多く、学校/幼稚園/保育所などでの保管時や、衣類などを洗濯し外で干す場合や、傘や靴等の生活用品を無防備に玄関先の傘立てや庭に放置される事が多いため、他人が手を触れる事すら無しに離れた場所からでも外部や回りからその情報を読み取る事が可能なため、別の目的として勝手に悪用される事が発生している。  
【０００４】
この様に、従来から名札または名入れワッペン等の付け札は「個人を特定する目的」または「個人の所有を特定する印」として、外部から明らかに視認する事が出来る事が必要な条件であったが、数重なる事件の発生に起因して、学用品や道具に直接記載された個人情報は、その品物の内部であるとか裏側であるとかへ位置を変更して使用するため、本来の「個人自身の特定やその所有する物を特定する」事が困難になってきている。
【０００５】
例えば、これらの悪用を避ける為に名札の裏面に上下方向に帯を設けて、反転させて用いる名札であるとか、２枚の板で構成した名札を合わせ面の表裏の付け替えで必要時は名前を露出さえる方法であるとか、または衣服に装着する止着部と、止着部にユニバーサルジョイントによって表裏を回転可能で連結したカード収納部とからなる名札などがある（例えば、特許文献１、特許文献２、特許文献３参照。）。
【０００６】
ところが、これらの商品は機構が複雑であったり、取り付け場所に制約が有ったり、名札その物を取り外して使用する必要があり、名札以外の用途、例えば衣服や日用品などの対象物に、名前等の個人情報を記載して長期に残す事が出来ず、日常に使用する物品へ個人情報を保管するための、新たな機能や新たな特徴を保持する手段や手法を持たせたものは存在していない。
【０００７】
また、例えば形状記憶繊維、メモリ繊維と呼称される繊維が、当考案で論ずる「一方向に丸まる繊維」としての用途を有するとも受けとられるが、これらの繊維は衣類等の布製品が起こし易い型崩れや皴を取り除く事を目的で考案された物であり、結果として着衣による布の状態に変化を与えても、洗濯・洗浄後、乾燥させると元に記憶させた皴の無い形状でアイロン掛けが不要になる様に戻る加工がされた繊維、通常はセルロースやポリエステルをアンモニアやホルムアルデヒドなどで処理し、ポリマー間の架橋反応により構造を安定化させた繊維であり、本考案で論じているのとは違い変形を防止する性質を付与させたものである。
【０００８】
そのため、利用者の間では上記に示した複雑な操作を必要とする取り換え式の名札とは違い、取り付け交換の必要が無く、新たな機能および付加価値を提供できる名札または名入れワッペン、通称はタグ、ラベルなどと呼称される付け札が望まれていた。    
【先行技術文献】
【特許文献】
【０００９】
【特許文献１】特開平１１-０３８８８２号公報
【特許文献２】実用新案登録第３１８６７６３号公報
【特許文献３】実用新案登録第３１９２１０１号公報
【発明の概要】
【発明が解決しようとする課題】
【００１０】
取り付け交換の必要が無い従来型の名札または名入れワッペンの多くは、シートタイプの布に個人情報を記載後に貼り付ける、または縫い付けるものが多く、あるいは衣服類に直接、油性マーカーあるいは墨で記載、もしくは刺繍を施して名前等の個人情報を付けるものもあるが、その多くは洗濯や使用後に取り外してまた縫い付ける事は無く、その結果として洗濯して干す際、または使用後に放置する際は、無防備に個人情報を曝している状態にある。  
【００１１】
本考案は、取り付け交換の必要が無い名札または名入れワッペンでありながら、記載された個人情報を平面として保管するのではなく、記載された個人情報を丸めた部分内面に記載させる事により、外からは情報が見えない状態で収納する事を実現させる事を目的とするものである。
【課題を解決するための手段】
【００１２】
前記課題を克服するには、貼り付ける、または縫い付ける平面状のシートタイプの布であっても、その全面を貼り付け、または縫い付ける事を行わずに、シート状の布面の一部または一辺部分を貼り付ける、または縫い付ける事を行い、その他の平面部を丸めて縮納する事により、記載部が外部の目に曝される事が無い事に着目をした。
【００１３】
前記目的を達成するため、本考案においては以下の技術的手段を講じた。すなわち、個人情報記載用の平面状のシートタイプの布に、記載後に丸める、或は巻き上げる特性を付与し、記載面を「丸まる内側の方向」に配置する事に因り、記載部が外部の目に曝される事を無くす事が可能となった。
【発明の効果】
【００１４】
本考案により、従来発明の様に、使用の度毎に名札を外して付け替える必要もなくなり、従来の所謂ワッペン状の名入れにおいても、個人情報を隠すために洗濯した衣類や生活用品を部屋干ししていたものを、悪用の心配をする事無く戸外で干し、日光の下で紫外線等による衛生的な管理も行え、一度記載された個人情報は、必要な際には、シートタイプの布の丸まりを解除（引き伸ばす）して目視確認する事が可能であり、不要の際には手を触れる事がなければ、記載部の外部の目に曝される事を無くす事が出来る。
【００１５】
更には、従来型の名札やワッペン状の名入れは、ある程度のサイズが必要であったため、外部から見られると、何処に記載されているかの認知がされやすかったが、本考案によるものは、シートを縮納している為、その保管場所の特定が認知されにくくすることが出来て、更には従来品の様に何度も名札を入れ替える、または表裏をひっくり返すなどの複雑な取り扱いが不要となり、指一本で布の一部をなぞるだけで個人情報の確認を行う事が可能となった。
【図面の簡単な説明】
【００１６】
【図１】記載部が丸まった付け札の状態を示した図
【図２】経糸と緯糸の物性を変えた付け札の繊維の拡大図
【図３】経糸を樹脂、緯糸を繊維で構成した付け札の拡大図
【図４】背面に樹脂層コーティングを施した付け札の断面図
【図５】背面に網状の樹脂部位を保持した付け札の状態を示した図
【図６】傘の柄に付け札を巻き付けた状態を示した図
【図７】シャツに付け札を取り付けた状態を示した図
【発明を実施するための形態】
【００１７】
以下、本考案の実施の形態を図１〜６に基づき実施例として説明する。
【００１８】
図１において、１は対象物に貼り付ける、または縫い付ける為付け札の一部位であって、個人情報を記載、又は確認する必要時の付け札２の一部分として属している。個人情報を記載する際には２の状態で記すが、通常時は３の状態になり丸まって外部から個人情報確認する事は出来ない。
【００１９】
＜実施例１＞
図１の状態を発生させる為には、実施例１として図２に示した付け札の布の繊維の経糸４と緯糸５に、一方が１に対してもう一方が０.９８以上の差をつけた弾性率、またはおよび一方が１に対してもう一方が０.９９以上の差をつけた熱膨張率をもつ布地を用いる事により「一方向に丸まる性質」が付与されるが、個人情報等を記載する際には指で撫ぜることによりその丸まりを抑え記載が可能で、その他の通常使用時には名前表示部が丸まって外部からは隠れて見えない付け札となる。
【００２０】
実施例１では繊維として熱膨張率が1対0.95の綿を用いたが、麻、絹、毛などの天然繊維、もしくはレーヨン、アセテート、ナイロン、ビニロン、ポリ塩化ビニル、ポリエステル、アクリル、ポリプロピレン、ポリウレタンなどの合成繊維で同様の効果を生み出すことができる。
【００２１】
＜実施例２＞
実施例２として図３に示すように、緯糸に繊維６を、経糸に予め丸まる性能を付与した樹脂加工線７で構成された布に、個人情報等を記す際にはその丸まりを抑え記載し、その他の通常使用時には名前表示部が丸まって外部からは隠れて見えない付け札となる。
【００２２】
実施例２では樹脂としてポリプロピレンを用いたが、ポリ塩化ビニル、ポリエチレン、ポリスチレン、ABS樹脂、AS樹脂、アクリルなどの汎用樹脂、あるいはナイロン、ポリアセタール、ポリカーボネート、ポリエチレンテレフタレート、ポリブチレンテレフタレートなどの樹脂で同様の効果を生み出すことが可能であり、また樹脂を鉄、アルミニウム、銅などを主とする金属合金線、例えばステンレス線やピアノ線で置き換えることでも同様の効果を生み出すことができる。
【００２３】
＜実施例３＞
実施例２として図４に示すように、付け札の布の背面に対して樹脂層のコーティング８を施したもので、その樹脂と繊維の伸び率の差によって一方向に丸まる性質を与られた付け札であって、個人情報等を記す際にはその丸まりを抑えて記載し、その他の通常使用時には名前表示部が丸まって外部からは隠れて見えない付け札となる。
【００２４】
実施例３では樹脂コーティング剤として、アクリル樹脂加工を用いたが、ポリ塩化ビニル、ウレタン、シリコン樹脂、ゴムレジンなどの繊維用樹脂コーティング剤でも同様の効果を生み出すことができる。
【００２５】
＜実施例４＞
実施例２として図５に示すように、付け札の布の背面に網状の樹脂成型品を保持したもので、その樹脂に与えられた丸まる性質を利用した付け札であって、個人情報等を記す際にはその丸まりを抑え記載し、その他の通常使用時には名前表示部が丸まって外部からは隠れて見えない付け札となり、背面に使用する樹脂材料は実施例２で用いられたものと同じ樹脂で効果が得られる。
【００２６】
＜実施例５＞
図６は、傘に本考案品を取り付けた状態を示しており、（ａ）はハンドルに直接名前を記載した従来のものであり、これが凶悪事件に結びついた一つの例であったが、本考案品を（ｂ）の様に取り付ける、もしくは（ｂ´）に示した様に本考案品の特徴である「丸まる性質」を利用してグルリと柄に巻き付けると更に隠す効果が活用できる、または（ｃ）の様に中棒に巻き付ける、または内側の親骨に取り付けて、外部からは隠れて見る事が出来ない。
【００２７】
＜実施例６＞
図８は、シャツに本考案品を取り付けた状態を示しており、襟奥部、または袖部や下部など、あらゆるところに取り付けが可能な一方、丸まり縮納されているために外部からは手を触れて探さなければその位置さえも確認をする事を難しくすることが出来る。
【符号の説明】
【００２８】
１：対象物に貼り付ける、または縫い付ける付け札の一部位
２：個人情報を記載、又は確認する必要時の付け札（通称：タグ、ラベル）
３：丸まって外部から個人情報確認する必要のない通常時の付け札
４：ある弾性率又はある熱膨張率の経糸（たていと）
５：３とは異なった弾性率又は熱膨張率の緯糸（よこいと）
６：付け札に用いる布の繊維
７：予め丸まる性能を付与した、付け札に用いる布を構成する樹脂加工品
８：付け札に用いる布のコーティング層 
９：予め丸まる性能を付与した、付け札に用いる布を構成する樹脂網状物
【要約】
【課題】  近年、名札等に表示された個人情報を悪用した凶悪事件が発生しており、その防止の為の工夫が望まれている。この行為は名札としての使用時に限らず、洗濯物を外へ干す衣類や、玄関先に置かれた傘や靴等の生活用品に記されたに記された名前等の個人情報までもが悪用されている。  
【解決手段】乳幼児から学童・学生に不可欠な衣類や、生活用品に付けられた個人情報を、丸まる名札や名入れワッペン等の付け札の内側に隠すことで、関係者以外の人に氏名などの個人情報を知られて悪用される事を防ぎ、通常使用時にもコンパクトに収納する事を可能とした。
【選択図】  図１【図１】
0006023384.tif 000002
【図２】
0006023384.tif 000003
【図３】
0006023384.tif 000004
【図４】
0006023384.tif 000005
【図５】
0006023384.tif 000006
【図６】
0006023384.tif 000007
【図７】
0006023384.tif 000008